(57)【要約】【課題】  狭小浴室であっても浴槽内で足を充分に伸ばすことができ、洗い場での動作に支障を来たしにくいように、浴槽と洗い場のレイアウトを工夫した浴室を提供する。【解決手段】  平面視で略長方形状の浴室１０内を略対角線ａで区画して、一方に浴槽１１を配置し、他方を洗い場１２とする。  好ましくは、浴槽１１の足側に、浴槽１１側と洗い場１２側とに首振り可能なカラン１３を配設する。浴槽１１の背中側に、腰掛け部１７を形成する。腰掛け部１７の下方に、ジェットバス等のポンプ１８を収納する。浴槽１１の背中側に、半身浴用の腰掛けを兼ねる肘掛け部１６を設ける。【選択図】  図１
2006141851.tif 000002
【特許請求の範囲】
【請求項１】
平面視で略長方形状の浴室内を略対角線で区画して、一方に浴槽を配置し、他方を洗い場としたことを特徴とする浴室。
【請求項２】
前記浴槽の足側に、浴槽側と洗い場側とに首振り可能なカランを配設したことを特徴とする請求項１記載の浴室。
【請求項３】
前記浴槽の背中側に、腰掛け部を形成したことを特徴とする請求項１記載の浴室。
【請求項４】
前記腰掛け部の下方に、少なくともジェットバス等のポンプを収納したことを特徴とする請求項３記載の浴室。
【請求項５】
前記浴槽内の背中側に、半身浴用の腰掛けを兼ねる肘掛け部を設けたことを特徴とする請求項１記載の浴室。
【発明の詳細な説明】
【技術分野】
【０００１】
本発明は、浴槽と洗い場のレイアウトを工夫した浴室に関する。
【背景技術】
【０００２】
従来、図７に示すように、平面視で略正方形の浴室１内に設置される浴槽２であって、浴槽２の平面視で短辺となる一辺３が平面視で略正方形の浴室１の一辺４の半分より長く、短辺となるもう一辺５が浴室１の一辺６の半分より短く、これら短辺３，５をつなぐ洗い場８を臨む辺７が略正方形の浴室１に対して略傾斜辺となっているものがある（特許文献１参照）。
【０００３】
この特許文献１では、１坪（例えば１６００ｍｍ×１６００ｍｍ角）サイズ程度の浴室１を想定していることから、浴槽２も洗い場８も比較的に広くレイアウトすることができる。
【特許文献１】特開２００３−２６５３４２号公報
【発明の開示】
【発明が解決しようとする課題】
【０００４】
しかしながら、近年では、１坪サイズよりもさらに狭い約０．７５坪（例えば１６００ｍｍ×１２００ｍｍ角）サイズの狭小浴室の要望があり、このような狭小浴室では、浴槽も洗い場もより狭いレイアウトとなって、特許文献１のようなレイアウトであっても、浴槽内で足を充分に伸ばせないとともに、洗い場での動作に支障をきたすことがある。
【０００５】
本発明は、前記問題を解消するためになされたもので、狭小浴室であっても浴槽内で足を充分に伸ばすことができ、洗い場での動作に支障を来たしにくいように、浴槽と洗い場のレイアウトを工夫した浴室を提供することを課題とするものである。
【課題を解決するための手段】
【０００６】
前記課題を解決するために、本発明は、平面視で略長方形状の浴室内を略対角線で区画して、一方に浴槽を配置し、他方を洗い場としたことを特徴とする浴室を提供するものである。
【０００７】
また、浴槽の足側の狭いデッドスペースを合理的に利用するために、前記浴槽の足側に、浴槽側と洗い場側とに首振り可能なカランを配設することが好ましい。
【０００８】
さらに、浴槽の背中側のデッドスペースを合理的に利用するために、前記浴槽の背中側に、腰掛け部を形成することが好ましい。
【０００９】
さらにまた、腰掛け部の下方のデッドスペースを合理的に利用するために、前記腰掛け部の下方に、少なくともジェットバス等のポンプを収納することが好ましい。
【００１０】
また、浴槽内の背中側の広いデッドスペースを合理的に利用するために、前記浴槽の背中側に、半身浴用の腰掛けを兼ねる肘掛け部を設けることが好ましい。
【発明の効果】
【００１１】
本発明によれば、略対角線で区画した浴室内の一方に配置した浴槽は、略対角線方向および浴室の長辺方向に沿った三角形状となるから、狭小浴室（例えば約０．７５坪）であっても、幅の広い方を背中側とし、幅の狭い方を足側として入浴すれば、浴槽内で足を充分に伸ばせるようになる。また、略対角線方向および浴室の長辺方向に視線が向くので、広い視野を確保できるようになる。さらに、浴槽の足側に近い洗い場の幅の広い方に椅子を置いて座れるから、洗い場での動作に支障を来たしにくくなる。
【発明を実施するための最良の形態】
【００１２】
以下、本発明を実施するための最良の形態について、図面を参照しながら詳細に説明する。
【００１３】
図１に示すように、浴室（ユニットバスやシステムバス）１０内は、長辺部１０Ａ，１０Ｂと短辺部１０Ｃ，１０Ｄとで、平面視で略長方形状に形成して、長辺部１０Ａと短辺部１０Ｄの角部分付近と、長辺部１０Ｂと短辺部１０Ｃの角部分付近とを結ぶ略対角線ａで２つに区画している。
【００１４】
そして、略対角線ａと長辺部１０Ａと短辺部１０Ｃとの三角形状のほぼ全区画に浴槽１１を配置し、略対角線ａと長辺部１０Ｂと短辺部１０Ｄとの三角形状のほぼ全区画を洗い場１２としている。なお、浴室１０の出入り口や扉等は、洗い場１２側の長辺部１０Ｂか短辺部１０Ｄのいずれかに設けることができる。
【００１５】
図２にも示すように、前記浴槽１１の足側の上部位置には、浴槽１１側と洗い場１２側とに首振り可能なカラン（混合水栓）１３を配設している。このカラン１３は、浴槽１１の上部位置に取付けるデッキ式であるが、浴室１０の壁に取付ける壁付け式であっても良い。また、カラン１３は、埋め込み式であってもホース格納式であっても良い。
【００１６】
前記浴槽１１の足側の洗い場１２には、略対角線ａと短辺部１０Ｄとのデッドスペースとなるコーナー部分を利用して、洗い場１２よりもやや高くした円弧状の洗面器置き部１４を設けている。この洗面器置き部１４は、浴槽の背中側に設けても良い。また、洗面器置き部１４は、洗い場１２や浴槽１１と一体で形成されていても、分割で形成されていても良い。
【００１７】
前記洗面器置き部１４の上部に位置する浴槽１１の外壁面部に、給湯・給水配管や排水配管の施工やメンテナンスをするために、開閉蓋（具体的に図示せず。）を有する点検口部１５（ハッチング参照）を設けている。なお、点検口部１５は、洗面器置き部１４の下部の外壁面部に設けても良い。
【００１８】
図３にも示すように、前記浴槽１１内の背中側で長辺部１０Ａ側には、平面視で三角形状で、浴槽深さの約半分程度の高さを有する半身浴用の腰掛けを兼ねる肘掛け部１６を設けている。前記浴槽１１内の背中部分は、大きな円弧形状に形成している。
【００１９】
図４にも示すように、前記浴槽１１の背中側の上部位置には、略対角線ａと長辺部１０１０Ｂとのデッドスペースとなる洗い場１２のコーナー部分にも一部が張り出した腰掛け部１７を形成している。この腰掛け部１７の下方のデッドスペースは、ジェットバス等のポンプ１８の収納部１９として利用して、腰掛け部１７の下部の外壁面部に、ポンプ１８等の施工やメンテナンスをするために、開閉蓋２１を有する点検口部２０（ハッチング参照）を設けている。
【００２０】
この点検口部２０の開閉蓋２１には、図５に示すように、内方に窪ませた窪み部２１ａを形成して、この窪み部２１ａを清掃用具やシャンプーボトル等の収納部として利用することができる。なお、腰掛け部１７は、浴槽１１の足側に設けても良い。また、腰掛け部１７は、洗い場１２や浴槽１１と一体で形成されていても、分割で形成されていても良い。さらに、収納部１９は、前記洗面器置き部１４の下方のデッドスペースに設けても良い。
【００２１】
上記のように浴室１０を構成すれば、略対角線ａで区画した浴室１０内の一方に配置した浴槽１１は、略対角線ａ方向および浴室１０の長辺１０Ａの方向に沿った三角形状となるから、狭小浴室（例えば０．７５坪）であっても、入浴者Ｍは、幅の広い方を背中側とし、幅の狭い方を足側として入浴すれば、浴槽１１内で足を充分に伸ばせるようになる。
【００２２】
また、略対角線ａの方向および浴室１０の長辺１０Ａの方向に入浴者Ｍの視線が向くので、広い視野を確保できるようになる。さらに、浴槽１１の足側に近い洗い場１２の幅の広い方に椅子２２を置いて座れるから、洗い場１２での動作に支障を来たしにくくなる。
【００２３】
さらに、浴槽１１の足側の狭いデッドスペースを合理的に利用してカラン１３を配設できるとともに、カラン１３を首振り（スィング）させることで、浴槽１１に給湯・給水したり、洗い場１２の洗面器置き部１４に置いた洗面器２３に給湯・給水したりすることができる。また、浴槽１１の足側に近い洗い場１２の幅の広い方に椅子２２を置いて座れば、カラン１３は右手の直ぐ横にあるから、カラン１３の操作がし易くなる。
【００２４】
さらに、浴槽１１の背中側のデッドスペースを合理的に利用した腰掛け部１７に腰を掛けて足を浴槽１１側にひねると、腰を掛けたままで足を洗い場１２から浴槽１１内に入れることができ、逆に、腰掛け部１７に腰を掛けて足を洗い場１２側にひねると、腰を掛けたままで足を浴槽１１内から洗い場１２に出すことができるから、足腰の弱い者（老人や幼児等）が浴槽１１を跨がなくても良くなるので、入浴時の安全性が向上するようになる。
【００２５】
さらにまた、腰掛け部１７の下方のデッドスペースを収納部１９として合理的に利用して、ジェットバス等のポンプ１８を収納できるようになる。
【００２６】
また、浴槽１１内の背中側の広いデッドスペースを合理的に利用して、狭小の浴室１０では困難であった半身浴用の腰掛けを兼ねる肘掛け部１６も付加することができ、肘掛け部１６に腰を掛けて半身浴をすることができる。
【００２７】
前記実施形態では、浴室１０内は、長辺部１０Ａと短辺部１０Ｄの角部分付近と、長辺部１０Ｂと短辺部１０Ｃの角部分付近とを結ぶ略対角線ａで２つに区画しているが、図６に示すように、長辺部１０Ａと短辺部１０Ｄの角部分付近から長辺部１０Ｂの方向に例えば１００ｍｍ程度で片寄せた角部分付近ｐと、長辺部１０Ｂと短辺部１０Ｃの角部分付近から長辺部１０Ａの方向に例えば１００ｍｍ程度で片寄せた角部分付近ｑとを結ぶ略対角線ａで２つに区画することもできる。
【００２８】
このように区画すると、前記浴槽１１の足側の洗い場１２には、短辺部１０Ｄと長辺部１０Ａのデッドスペースとなるコーナー部分を利用して、洗い場１２よりもやや高くした円形状の洗面器置き部１４を設けることができる。なお、点検口部１５は、洗面器置き部１４の下部の外壁面部に設けることが好ましい。また、カラン１３は、前記実施形態と同様の位置に配設するものであり、図示は省略した。
【図面の簡単な説明】
【００２９】
【図１】本発明の実施形態に係る浴室内の平面図である。
【図２】図１の浴室内のカランと洗面器置き部の斜視図である。
【図３】図１の浴室内の半身浴用の腰掛けを兼ねる肘掛け部の斜視図である。
【図４】図１の浴室内の腰掛け部の斜視図である。
【図５】図１の浴室内の点検口部の開閉蓋の斜視図である。
【図６】本発明の別実施形態に係る浴室内の略画的平面図である。
【図７】従来の浴室内の平面図である。
【符号の説明】
【００３０】
１０    浴室
１１    浴槽
１２    洗い場
１３    カラン
１４    洗面器置き部
１６    半身浴用の腰掛けを兼ねる肘掛け部
１７    腰掛け部
１８    ポンプ
１９    収納部
２０    点検口部
ａ      略対角線
【図１】
2006141851.tif 000003
【図２】
2006141851.tif 000004
【図３】
2006141851.tif 000005
【図４】
2006141851.tif 000006
【図５】
2006141851.tif 000007
【図６】
2006141851.tif 000008
【図７】
2006141851.tif 000009